(57)【特許請求の範囲】
【請求項１】
耐火外装板（１５）を貼設した耐火層部（５）と断熱層部（６）とを一体化したパネル（９）であって、耐火層部（５）は縁枠体（１０）と内外２枚の耐火ボード（１２）とで形成した中空枠の内腔にウール状断熱材（１４）を充填すると共に、断熱層部（６）は縁枠体（１０）と耐火ボード（１２）とで形成した中空枠の内腔に発泡断熱材（１６）を充填し、かつ対向縁枠体（１０）間にブレース（１１）を張設したことを特徴とする冷凍倉庫用パネル。
【請求項２】
耐火外装板（１５）を貼設した耐火層部（５）と断熱層部（６）とを一体化したパネル（９）であって、耐火層部（５）は縁枠体（１０）と内外２枚の耐火ボード（１２）とで形成した中空枠の内腔にウール状断熱材（１４）を充填すると共に、断熱層部（６）は縁枠体（１０）と耐火ボード（１２）とで形成した中空枠の内腔に発泡断熱材（１６）を充填し、かつ対向耐火ボード（１２）間に断熱型固定装置（１３）を設けて補強したことを特徴とする冷凍倉庫用パネル。
【請求項３】
パネル（９）を端縁部において接合した倉庫用壁体構造であって、パネル（９）として請求項１または請求項２に記載のパネルを使用し、このパネル（９）の端縁部に嵌合溝（２２）を設けると共に、対向する両嵌合溝（２２）に跨る断熱型の平板状ジョイナー（２３）を嵌入して接合するようにし、かつ嵌合溝（２２）の少なくとも開口部付近とこれに対接する平板状断熱型ジョイナー（２３）の外周面との間に防湿層を形成した接合構造を採択したことを特徴とする冷凍倉庫用壁体構造。
【請求項４】
パネル（９）を端縁部においてＴ字状ジョイナー（３１）を使用して目地部を接合した倉庫用壁体構造であって、パネル（９）として請求項１または請求項２に記載のパネルを使用すると共に、Ｔ字状ジョイナー（３１）としては、耐火カバー（２７）を施した耐火頭部（２８）と座部（２９）と断熱脚部（３０）とからなり、耐火頭部（２８）の耐火カバー（２７）と断熱脚部（３０）との間が断熱状態かつ防湿状態に保たれた構成のものを使用し、パネル（９）における耐火層部（５）の目地部とＴ字状ジョイナー（３１）との対接面に防湿層を形成した状態のもとに、Ｔ字状ジョイナー（３１）をその座部（２９）がパネル（９）における耐火層部（５）の耐火外装板（１５）に当接すると共に、断熱脚部（３０）が耐火層部（５）の目地部に挿入されるように固着するほか、Ｔ字状ジョイナー（３１）の耐火頭部（２８）と耐火層部（５）における外装板（１５）との間にシール材（３２）を充填した目地部接合構造を採択したことを特徴とする冷凍倉庫用壁体構造。
【請求項５】
基礎（２）上に、柱（３）および梁（４）等から構成される鉄骨躯体を構築し、この鉄骨躯体の周側にパネル（９）を装着して壁体を構成すると共に、天井に断熱パネル（７）および屋根（８）を設けた型式の冷凍倉庫であって、前記鉄骨躯体における周側の壁体構造として請求項３および請求項４に記載の壁体構造を採択したことを特徴とする冷凍倉庫。
【発明の詳細な説明】
【０００１】
【発明の属する技術分野】
本発明は、冷凍倉庫（コンテナ型の冷凍倉庫を含む）用の耐火層部と断熱層部との一体化パネルおよびパネルを接合した冷凍倉庫用壁体構造および冷凍倉庫に関するものである。
【０００２】
【従来の技術】
従来の大型冷凍倉庫は、大別して二つの型式がある。第一の型式は、コンクリート製躯体の内外部の一方あるいは両方に断熱層を設けたコンクリート躯体型であり、第二の型式は、鉄骨躯体の内外部の一方あるいは両方に断熱層を設けた鉄骨躯体型であり、例えば特開平８−３０３０２６，特開平９−４２５１，特開平９−３２１４７等がある。
【０００３】
【発明が解決しようとする課題】
前記第二の鉄骨躯体型は、鉄骨躯体に多数の断熱パネルを取付ける関係上、それら断熱パネルの取付部並びに断熱パネル同士の接合部における断熱性が重要な課題である。またパネル同士の接合部を少なくすることが断熱性を向上することから、１枚の断熱パネルを大型化することが有効であるが、大型化に伴い断熱パネル自体および接合部の強度が問題となる。
【０００４】
そこで本発明の目的は、比較的簡単な構成のもとに耐火性並びに断熱性を有する高強度な耐火断熱一体化パネルを提供すること、断熱が確実なパネル接合による壁体構造を提供すること、耐火性並びに耐久性を有する冷凍倉庫を安価に提供することにある。
【０００５】
【課題を解決するための手段】
本発明は、上記目的を達成するため、耐火断熱一体化パネルとしては、耐火層部と断熱層部とを一体化すると共に、耐火層部は縁枠体と内外２枚の耐火ボードとで形成した中空枠の内腔にウール状断熱材を充填し、かつ断熱層部は縁枠体と耐火ボードとで形成した中空枠の内腔に発泡断熱材を充填し、更に対向縁枠体間にブレースを張設して補強し、あるいは対向耐火ボード間に断熱型固定装置を設けて補強する。
【０００６】
パネル同士の接合による壁体構造としては、耐火層部と断熱層部とが一体化したパネルを使用し、このパネルの外周縁に嵌合溝を設けると共に、対向する両嵌合溝に跨る平板状断熱型平板状ジョイナーを嵌入して接合する。パネルの嵌合溝の少なくとも開口部付近とこれに対接する平板状ジョイナーの外周面との間に防湿層を設ける。
【０００７】
パネル同士の目地部接合による壁体構造としては、パネルとして耐火層部と断熱層部とが一体化したものを使用し、かつ別に外装板によりカバーを施した耐火頭部と耐火ボード製座部と断熱脚部とからなり、耐火頭部のカバーと断熱脚部との間が断熱状態かつ防湿状態のＴ字状ジョイナーを採択し、目地部とＴ字状ジョイナーとの対接面に防湿層を形成した状態のもとに、Ｔ字状ジョイナーをその断熱脚部が耐火層部の目地部に挿入されるように固着し、更にＴ字状ジョイナーの耐火頭部と耐火層部における外装板との間にシール材を充填する。
【０００８】
冷凍倉庫としては、鉄骨躯体の周側に装着するパネルとして、耐火層部は縁枠体と内外２枚の耐火ボードとで形成した中空枠の内腔にウール状断熱材を充填し、かつ断熱層部は縁枠体と耐火ボードとで形成した中空枠の内腔に発泡断熱材を充填し、更に対向縁枠体間にブレースを張設して補強し、あるいは対向耐火ボード間に断熱型固定装置を設けて補強した構成のパネルを採択する。パネル同士の接合構造として、パネルの端縁部に嵌合溝を設けると共に、対向する両嵌合溝に跨る断熱型の平板状ジョイナーを嵌入して接合するようにし、またパネルの目地部接合構造として、外装板によりカバーを施した耐火頭部と耐火ボード製座部と断熱脚部とからなり、耐火頭部のカバーと断熱脚部との間が断熱状態かつ防湿状態に保たれたＴ字状ジョイナーを使用し、目地部とＴ字状ジョイナーとの対接面との間に防湿層を形成すると共に、Ｔ字状ジョイナーをその断熱脚部が耐火層部の目地部に挿入される状態のもとに固着し、更にＴ字状ジョイナーの耐火頭部と耐火層部における耐火外装板との間にシール材を充填する。
【０００９】
パネルの作用については、耐火層部と断熱層部とを重ねて耐火ボードによりサンドイッチ状に一体化されており、耐火パネルと断熱パネルとを別々に装着することなく、装着作業が容易であり、耐火層部を外側に施工して耐火構造となる。パネル内部にブレースを張設して補強し、あるいは対向耐火ボード間に断熱型固定装置を設けて補強されて大型化が可能であり、熱伝導が生じ易い目地部の低減により断熱効果が向上し、冷却コストを低減する。
【００１０】
パネル同士の接合による壁体構造の作用については、重合パネルの外周縁に嵌合溝を設けると共に、対向する両嵌合溝に跨る平板状断熱型平板状ジョイナーの嵌入により接合し、嵌合溝の少なくとも開口部付近と平板状ジョイナーの外周面との間に防湿層を施した構成により、ジグザグ形状の防湿接合面が形成され、ジョイナー自体とラビリンスとによる断熱作用並びに防湿作用が発揮される。
【００１１】
パネルの目地部接合による壁体構造の作用については、Ｔ字状ジョイナーにおける頭部カバーと断熱脚部との間が断熱状態かつ防湿状態であり、かつ目地部とＴ字状ジョイナーとの対接面に防湿層が形成され、更にＴ字状ジョイナーの耐火頭部と耐火層部の耐火外装板との間にシール材を充填されており、パネル同士はＴ字状ジョイナーにより固定されると共に、目地部が耐火並びに断熱状態に封止される。
【００１２】
冷凍倉庫の作用については、鉄骨躯体に耐火層と断熱層とが一体化されたパネルが装着され、各パネル間が防湿性かつ断熱性のジョイナーにより接合され、しかも各パネルはブレースの張設により、あるいは断熱型固定装置によって補強され、耐火性と断熱性と防湿性と堅牢性とが確保され、建設費および冷却コストが低減される。
【００１３】
【発明の実施の形態】
以下、本発明を図示の実施形態について詳細に説明する。
【００１４】
本発明の適用対象としての冷凍倉庫としては、例えば図１に示すように、全面に断熱層１が形成された基礎２上に、柱３および梁４等から構成される鉄骨躯体を構築し、この鉄骨躯体の周側に耐火層部５と断熱層部６とを装着すると共に、天井に断熱パネル７および屋根８を設け、かつ必要に応じ倉庫室内において角Ｃ字状あるいはＬ字状の形鋼製の補強材，ファスナー等の使用によりパネル７を連接状態に補強するほか、適宜の内装を施す型式を採択する。
【００１５】
上記型式の冷凍倉庫に対する本発明パネル９としては、図２ないし図６に例示するように、数１０〜百数１０ｍｍの耐火層部５と数１０〜百数１０ｍｍの一層ないし複数層の断熱層部６とを一体化するのであって、耐火層部５は、角Ｃ字状の形鋼製縁枠体１０に対角線方向および／または縦横方向にターンバックル付ブレース１１を張設して補強すると共に、内外両面に厚さが１０〜１０数ｍｍの耐火ボード１２をサンドイッチ状に添設一体化し、また対向耐火ボード１２間には必要に応じて複数ヶ所に断熱型固定装置１３を設けて補強し、更に耐火ボード１２間の内腔にグラスウールもしくはロックウールからなるウール状断熱材１４を充填して構成する。なお、外側の耐火ボード１２は、厚さが１ｍｍ程度の亜鉛メッキ鋼板にフッ素樹脂フィルムをラミネートした耐火外装板１５を貼設したものを採択する。
【００１６】
断熱層部６は、角Ｃ字状の形鋼製縁枠体１０に対角線方向および／または縦横方向にターンバックル付ブレース１１を張設して補強すると共に、内外両面に厚さが１０〜１０数ｍｍの耐火ボード１２をサンドイッチ状に添設一体化し、また対向耐火ボード１２間に断熱型固定装置１３を設けて補強する。ブレース１１と断熱型固定装置１３とはその両方を設けてもよく、あるいはいずれか一方を設けてもよい。更に耐火ボード１２間の内腔にフェノール樹脂発泡体１６を充填して構成する。フェノール樹脂発泡体１６は、旭化成建材株式会社製のネオマフォームが望ましく、ゼロフロン発泡による独立気泡を有し、機械的強度に優れている。
【００１７】
耐火層部５と断熱層部６との間の耐火ボード１２は、各別に設けることなく、図示のように１枚で兼用とするのがよく、耐火ボード１２は、例えば硅酸カルシウム板を使用するのが適当であり、耐火ボード１２を皿ビスにより縁枠体１０に固定する。なお前記パネル９の大きさは、例えば縦が２．３ｍで横が３．６〜５ｍに製作し、冷凍倉庫の高さは最高３０ｍにすることができる。
【００１８】
前記断熱型固定装置１３は、例えば図５および図６のように、硅酸カルシウム製の耐熱筒１７の両端に帽状取付座１８が冠着された状態のもとに内部にウール状断熱材１４を充填し、帽状取付座１８において座金１９および取付ねじ２０により耐火ボード１２に取付けるようにし、かつ断熱層部６の外側面においては、列設状態の断熱型固定装置１３に連なるファスナー２１に緊締し、なお都合によっては帽状取付座１８にブレース１１の端部を取付けて、断熱型固定装置１３をブレース１１の中継点としてもよい。
【００１９】
ブレース１１の張設および断熱型固定装置１３の取付けは、ウール状断熱材１４の充填作業並びにフェノール樹脂発泡体１６の充填作業に先立って行うのが当然である。
【００２０】
パネル９の接合構造としては、耐火層部５に隣接する中間の断熱層部６の横幅を狭小に形成することにより、パネル９の端縁部に嵌合溝２２を設けると共に、隣接するパネル９の端縁部を適度の目地間隙が保たれたまま嵌合溝２２が対向する状態に突合せるようにし、かつ別に対向状態の両嵌合溝２２に合致する断熱型の平板状ジョイナー２３を設けてこれを両嵌合溝２２に跨ったまま嵌合し、目地間隙にはウール状断熱材１４を充填する。なお平板状ジョイナー２３の嵌合に当たりパネル９の端面部および嵌合溝２２の少なくとも開口部付近と、これに当接する平板状ジョイナー２３の周面との間には防湿層（図示せず）が形成されるように、少なくとも一方の面に防湿層を塗着して施工する。
【００２１】
断熱型の平板状ジョイナー２３としては、硅酸カルシウム板を組み合わせて長方形断面の扁平中空体２４を形成すると共に、その内部に補強板２５を固定するほか、空隙にフェノール樹脂発泡体１６を充填し、かつ前後両面部に鋼板製カバー２６を固着する。
【００２２】
耐火層部５における目地部接合構造としては、図７に詳示するように、外装板による耐火カバー２７を冠着した耐火頭部２８と耐火ボード製座部２９と断熱脚部３０とからなり、耐火カバー２７と脚部３０との間が断熱状態かつ防湿状態に保たれたＴ字状ジョイナー３１を採択し、耐火層部５の目地部とＴ字状ジョイナー３１との対接面に防湿層（図示せず）を形成した状態のもとに、Ｔ字状ジョイナー３１をその断熱脚部３０が耐火層部５の目地部に挿入されるように固着し、更にＴ字状ジョイナー３１の耐火頭部２８と耐火層部５における耐火外装板１５との間にシール材３２を充填した構成とする。
【００２３】
前記Ｔ字状ジョイナー３１の現場施工に当たっては、予め製作したＴ字状ジョイナー３１を目地部に取付けるようにしてもよいが、断熱性，防湿性，機械的強度を確保するためには、Ｔ字状ジョイナー３１の各構成部材を組付けつつ装着するのが望ましい。
【００２４】
Ｔ字状ジョイナー３１の組付けについては、まづ脚部３０について、断面がほぼＺ字状の２枚の形鋼を組合せて断面がほぼ几字状の脚部３０を構成するのであるが、パネル９の装着に先立ち予め脚部３０のＺ字状形鋼をそれぞれ耐火層部５における縁枠体１０にねじ３３により取付け、パネル９の装着時に両Ｚ字状形鋼の端部を相互にねじ３４により取付けるようにし、かつ内面に防湿層（図示せず）を施すと共に内部にウール状断熱材１４を充填する。
【００２５】
次に頭部２８と座部２９とについて、脚部３０寄りの耐火層部５の表面に耐火ボード製の座部２９と頭部部材２８ａとを接着すると共に、ねじ３５により耐火層部５における縁枠体１０に緊結するほか、脚部３０の基部においては耐火間隔片３６を挟持した状態のもとにねじ３７により緊結し、かつ頭部部材２８ａの端縁寄りに頭部部材２８ｂを接着固定すると共に、内隙にウール状断熱材１４を充填した後、頭部部材２８ｃを冠せかけて螺旋釘により固着するほか、その外側に厚さが１ｍｍ程度の亜鉛メッキ鋼板にフッ素樹脂フィルムをラミネートした前記耐火カバー２７を冠着してねじ３８により固定し、その後に前記シール材３２を充填する。なお頭部２８の組立て過程において、頭部２８の内隙面，頭部２８の内隙に露出した各ねじ３５，３７，３８の端部，頭部部材２８ｂと頭部部材２８ｃとの対接面，耐火カバー２７内面との対接面には順次に防湿層（図示せず）を施すようにする。
【００２６】
前記目地部接合構造は、主として縦方向の目地に採用し、横方向の目地としては例えば図８に詳示する簡易型の目地部接合構造を採択してもよく、即ちＬ字状形鋼を組合せて断面がほぼコ字状のジョイナー３９を構成し、このジョイナー３９を目地部に挿入した状態のもとに耐火層部５における縁枠体１０に固着し、かつジョイナー３９の外側にはコ字状形鋼によるカバー４０を当接したままねじ４１により固定した後、シール材３２を充填する。なおジョイナー３９の取付けについては、パネル９の装着に先立ち予めＬ字状形鋼をそれぞれ耐火層部５における縁枠体１０にねじ４２により取付け、パネル９の装着時に両Ｌ字状形鋼の端部を相互にねじ４１により取付けるようにし、かつ内側面に防湿層（図示せず）を施すと共に内部にウール状断熱材１４を充填し、更にねじ４１の外部露出面に防湿層（図示せず）を施し、シール材３２を充填する。
【００２７】
室内側の目地部については、例えば図６のように、チャンネル形鋼の組合せによる扁平筒状の主体の内部にウール状断熱材１４を充填したスペーサー４３をパネル９の端縁間に挟持される状態に固定すると共に、その表部にシール材３２を充填する。
【００２８】
シール材３２としては、変性シリコーン系シール材を採択するのが望ましく、また防湿層としては、グラスウールメッシュを貼着した状態のもとに変性シリコーン系シール材を塗着するのが望ましい。
【００２９】
前記各ねじ２０，３３，３５，３７，３８等は、主体部側例えばパネル９の内側部分に雌ねじを固設し、組立てに際して植込ねじを植込むようにし、あるいは有頭ねじを使用する構成にしてもよいのである。
【００３０】
【発明の効果】
以上説明したように本発明によれば、次のような効果が得られる。
【００３１】
請求項１の発明によれば、ウール状断熱材１４を充填した耐火層部５と、発泡断熱材１６を充填した断熱層部６とを一体化すると共に、耐火ボード１２と縁枠体１０とにより外郭を形成し、かつ対向縁枠体１０間にブレース１１を張設したから、これにより機械的強度，断熱性，防湿性に優れた冷凍倉庫用パネルを容易に得ることができ、パネルの大型化に伴い目地部の施工量が少なくて済む関係上、築造コスト並びに冷却コストを節減することができる。
【００３２】
請求項２、対向耐火ボード１２間に断熱型固定装置１３を設けて補強したから、請求項１の発明におけるブレース１１の張設と同様に、機械的強度，断熱性，防湿性，に優れた冷凍倉庫用パネルを容易に得ることができ、パネルの大型化に伴い目地部の施工量が少なくて済む関係上、築造コスト並びに冷却コストを節減することができる。
【００３３】
請求項３の発明によれば、上記請求項１または請求項２の発明による効果に加え、パネル９の端縁部に嵌合溝２２を設けると共に、対向する両嵌合溝２２に跨る断熱型の平板状ジョイナー２３を嵌入して接合するようにし、かつ嵌合溝２２と平板状ジョイナー２３との対接面に防湿層を設けたから、これによりパネル９同士を強固に接合することができるほか、蛇行状の接合面によるラビリンス作用により熱伝導を効果的に遮断し、冷却コストを節減することができる。
【００３４】
請求項４の発明によれば、上記請求項１または請求項２の発明による効果に加え、耐火カバー２７を施した耐火頭部２８と耐火ボード製座部２９と断熱脚部３０とからなり、耐火頭部２８の耐火カバー２７と断熱脚部３０との間が断熱状態かつ防湿状態に保たれたＴ字状ジョイナー３１を採択して目地部を固着状態のもとに封止したから、これにより目地部を強固かつ確実にに封止し、目地部における熱伝導を効果的に遮断し、冷却コストを節減することができる。
【００３５】
請求項５の発明によれば、耐火層部５と断熱層部６とを一体化すると共に、ブレース１１および／または断熱型固定装置１３により補強したパネル９を鉄骨躯体の周側に耐火層部５が外側となるように装着するほか、パネル９同士の突合せ部の接合構造として、パネル９の端縁部に設けた対向嵌合溝２２に断熱型の平板状ジョイナー２３を跨る状態に嵌入して接合すると共に、両者の対接面に防湿層を設け、目地部の接合構造として、耐火頭部２８と断熱脚部３０との間が断熱状態かつ防湿状態に保たれたＴ字状ジョイナー３１を採択して目地部を固着状態のもとに封止するようにしたから、これによりパネル自体，パネル９同士の突合せ接合部，目地部の接合部が強固に構成できるほか、耐熱性並びに断熱性に優れた冷凍倉庫を低廉に製作することができ、倉庫内を−５０Ｃ°程度に容易に保つことができる。
【図面の簡単な説明】
【図１】  冷凍倉庫の縦断端面図である。
【図２】  冷凍倉庫用パネルの横断平面図である。
【図３】  パネルの正面図である。
【図４】  パネルの他の実施形態の正面図である。
【図５】  断熱材を充填しない状態のパネルの要部を示す縦断正面図である。
【図６】  パネルの接合構造および断熱型固定装置の要部を示す横断平面図である。
【図７】  パネルの目地部接合構造を示す横断平面図である。
【図８】  パネルの目地部接合構造の他の実施形態を示す縦断側面図である。
【符号の説明】
２    基礎
３    柱
４    梁
５    耐火層部
６    断熱層部
７    断熱パネル
８    屋根
９    パネル
１０  縁枠体
１１  ブレース
１２  耐火ボード
１３  断熱型固定装置
１４  ウール状断熱材
１５  耐火外装板
１６  発泡断熱材
２２  嵌合溝
２３  平板状ジョイナー
２７  耐火カバー
２８  耐火頭部
２９  耐火ボード製座部
３０  断熱脚部
３１  Ｔ字状ジョイナー
３２  シール材
【図１】
0003811917.tif 000002
【図２】
0003811917.tif 000003
【図３】
0003811917.tif 000004
【図４】
0003811917.tif 000005
【図５】
0003811917.tif 000006
【図６】
0003811917.tif 000007
【図７】
0003811917.tif 000008
【図８】
0003811917.tif 000009